(57)【要約】【課題】容易な操作で一つのカメラをダーモスコピーカメラ態様とリングフラッシュカメラ態様とに切り換えることができるアタッチメント及びダーモスコピーカメラを提供する。【解決手段】撮影画像から病変を診断するために用いられるカメラ１のアタッチメント２０であって、光源３２と、光源３２を内包するようにカメラ１に取り付けられる基端部３０と、基端部３０の遠位側に着脱可能に取り付けられ、コンバージョンレンズ４３が配置された先端部４０と、を備えることを特徴とする。【選択図】図２
2018005155.tif 000002
【特許請求の範囲】
【請求項１】
撮影画像から病変を診断するために用いられるカメラのアタッチメントであって、
光源と、
前記光源を内包するように前記カメラに取り付けられる基端部と、
前記基端部の遠位側に着脱可能に取り付けられ、コンバージョンレンズが配置された先端部と、を備えることを特徴とするアタッチメント。
【請求項２】
前記光源が前記基端部の遠位側の周縁の少なくとも一部に配置されていることを特徴とする請求項１に記載のアタッチメント。
【請求項３】
前記基端部が遠位側端面に係合部及びマグネット部を有し、前記先端部が近位側端面に被係合部及びマグネット部を有することを特徴とする請求項１又は２に記載のアタッチメント。
【請求項４】
前記先端部が、遠位側に向かって細くなるように、段階的にテーパ状に形成されていることを特徴とする請求項１から３のいずれか１項に記載のアタッチメント。
【請求項５】
前記先端部が、
前記基端部の遠位側に着脱可能に取り付けられ、前記コンバージョンレンズが配置されたレンズ部と、
前記レンズ部の遠位側に着脱可能に取り付けられ、患者の疾患部にその先端が接触する接触部と、を含むことを特徴とする請求項１又は２に記載のアタッチメント。
【請求項６】
前記レンズ部が遠位側端面に係合部及びマグネット部を有し、前記接触部が近位側端面に被係合部及びマグネット部を有することを特徴とする請求項５に記載のアタッチメント。
【請求項７】
前記レンズ部及び前記接触部が、遠位側に向かって細くなるように、テーパ状にそれぞれ形成されており、前記接触部が前記レンズ部よりも光軸に向かって急角度なテーパ状に形成されていることを特徴とする請求項５又は６に記載のアタッチメント。
【請求項８】
前記光源がＬＥＤランプであることを特徴とする請求項１から７のいずれか１項に記載のアタッチメント。
【請求項９】
さらに、前記基端部の周面の一部に設けられ、前記光源を点灯するバッテリー部を備えることを特徴とする請求項１から８のいずれか１項に記載のアタッチメント。
【請求項１０】
撮影画像から皮膚病変を診断するために用いられるダーモスコピーカメラであって、
カメラ本体と、
前記カメラ本体に着脱可能に取り付けられる、請求項１から９のいずれか１項に記載のアタッチメントと、を備えることを特徴とするダーモスコピーカメラ。
【発明の詳細な説明】
【技術分野】
【０００１】
本発明は、撮影画像から病変を診断するために用いられるカメラのアタッチメント及びダーモスコピーカメラに関するものである。
【背景技術】
【０００２】
近年、皮膚科の診療においては、カメラ撮影が多用されている。例えば、カメラ本体にリングフラッシュが装着されたリングフラッシュカメラを用い、影が写り込まないように疾患部及びその周辺を撮影するリングフラッシュ撮影や、カメラ本体にダーモスコピー用アタッチメントが装着されたダーモスコピーカメラを用い、偏光作用を有するジェルを介して強いＬＥＤ光を当てながら疾患部を１０倍〜３０倍に拡大して撮影するダーモスコピー撮影が行われている（例えば、特許文献１参照）。
【０００３】
ダーモスコピー撮影は、ダーモスコピー診断に際して行われる撮影であり、ダーモスコピー診断では、ダーモスコピー撮影により得られた疾患部の拡大画像に基づいて、皮膚表面だけでなく皮膚下の状態を認識することにより、病変が詳細に診断される。
【０００４】
ダーモスコピー診断を行う際、多くの皮膚科医は、下記の手順で撮影を行っている。
１）個人を特定するために、通常のカメラ又はリングフラッシュカメラを用いて患者のカルテを撮影する。
２）疾患部の位置を特定するために、リングフラッシュカメラを用いて疾患部及びその周辺を非接触状態で撮影する。
３）ダーモスコピーカメラを用いて疾患部を接触状態で撮影する。
【０００５】
上記のような一連の撮影手順によれば、他の患者の撮影画像と誤認したり、疾患部の位置を誤認したりすることを防止できる。さらに、上記のような一連の撮影手順を一つのカメラで実行すれば、一連の撮影画像に連番が付与されるので、撮影画像の管理が容易になるという利点がある。
【０００６】
しかしながら、一つのカメラを用いて上記のような手順で撮影を行う場合、疾患部及びその周辺をリングフラッシュ撮影した後、カメラ本体からリングフラッシュを外すとともに、ダーモスコピー用アタッチメントを装着して疾患部をダーモスコピー撮影する必要があるので、一連の撮影に手間と時間がかかるという問題があった。
【先行技術文献】
【特許文献】
【０００７】
【特許文献１】特開２００５−１９２９４４号公報
【発明の概要】
【発明が解決しようとする課題】
【０００８】
本発明は、このような事情に鑑みなされたものであり、容易な操作で一つのカメラをダーモスコピーカメラ態様とリングフラッシュカメラ態様とに切り換えることができるアタッチメント及びダーモスコピーカメラを提供することを目的とする。
【課題を解決するための手段】
【０００９】
上記した課題を解決するために本発明の一態様は、撮影画像から病変を診断するために用いられるカメラのアタッチメントであって、光源と、前記光源を内包するように前記カメラに取り付けられる基端部と、前記基端部の遠位側に着脱可能に取り付けられ、コンバージョンレンズが配置された先端部と、を備えることを特徴とする。
本発明の他の特徴は、本明細書及び添付図面の記載により明らかにする。
【発明の効果】
【００１０】
本発明によれば、容易な操作で一つのカメラをダーモスコピーカメラ態様とリングフラッシュカメラ態様とに切り換えることができるアタッチメント及びダーモスコピーカメラの提供が可能になる。
【図面の簡単な説明】
【００１１】
【図１】本発明の第１実施形態に係るダーモスコピーカメラを示す図であり、（ａ）はダーモスコピーカメラの平面図、（ｂ）はダーモスコピーカメラの正面図、（ｃ）はダーモスコピーカメラの背面図、（ｄ）はダーモスコピーカメラの側面図である。
【図２】図１の（ｂ）のＡ−Ａ断面図である。
【図３】本発明の第１実施形態に係るダーモスコピーカメラの基端部を示す斜視図である。
【図４】本発明の第１実施形態に係るダーモスコピーカメラの基端部に先端部のレンズ部を装着した状態を仮想線で示す斜視図である。
【図５】本発明の第１実施形態に係るダーモスコピーカメラのダーモスコピー撮影時の状態を示す斜視図である。
【図６】本発明の第１実施形態に係るダーモスコピーカメラの接触部交換時又はマクロ撮影時の状態を示す斜視図である。
【図７】本発明の第１実施形態に係るダーモスコピーカメラのリングフラッシュ撮影時の状態を示す斜視図である。
【図８】本発明の第２実施形態に係るダーモスコピーカメラを示す図であり、（ａ）はダーモスコピーカメラの平面図、（ｂ）はダーモスコピーカメラの正面図、（ｃ）はダーモスコピーカメラの底面図、（ｄ）はダーモスコピーカメラの側面図である。
【発明を実施するための形態】
【００１２】
以下、本発明に係る実施形態のアタッチメント２０及びダーモスコピーカメラ１について、図面を用いて説明する。
【００１３】
（ダーモスコピーカメラ）
図１は、本発明の第１実施形態に係るダーモスコピーカメラ１を示す図であり、（ａ）はダーモスコピーカメラ１の平面図、（ｂ）はダーモスコピーカメラ１の正面図、（ｃ）はダーモスコピーカメラ１の背面図、（ｄ）はダーモスコピーカメラ１の側面図、図２は、図１の（ｂ）のＡ−Ａ断面図である。
【００１４】
図１及び図２に示すように、ダーモスコピーカメラ１は、カメラ本体１０と、カメラ本体１０に取り付けられるアタッチメント２０と、を備える。なお、アタッチメント２０は、カメラ本体１０に対して着脱自在に取り付けられてもよいし、カメラ本体１０に対して着脱不能に取り付けられてもよい。
【００１５】
（カメラ本体）
カメラ本体１０は、デジタルカメラであり、筐体１１と、撮影時に筐体１１の前面から遠位側に突出し、被写体の像を筐体１１の内部に設けられる撮像素子（図示せず）上に結像させるズームレンズ部１２と、筐体１１の背面に設けられ、撮像素子が読み取った撮影画像を表示する液晶表示部１３と、筐体１１の上面に設けられるシャッタボタン１４と、を備える。
【００１６】
さらに、筐体１１の内部には、上述した撮像素子の他に、シャッタボタン１４の操作に応じて、撮像素子が読み取った撮影画像を記憶する記憶部と、記憶した撮影画像を無線又は有線で外部機器（例えば、ダーモスコピー診断を行うコンピュータ）に送信する通信部と、上述した各部を制御する制御部と、上述した各部に電源を供給するバッテリー部と、が設けられているが、これらの図示は省略する。
【００１７】
（アタッチメント）
アタッチメント２０は、全体として概ね円筒形状を有し、ズームレンズ部１２の外周を囲むようにカメラ本体１０の前面に取り付けられる。アタッチメント２０は、カメラ本体１０の前面に着脱可能に取り付けられ、ズームレンズ部１２の外周を囲む基端部３０と、基端部３０の遠位側に着脱自在に取り付けられる先端部４０と、を備える。アタッチメント２０は、例えば、基端部３０の周囲及びズームレンズ部１２の周囲にそれぞれ設けられているマグネット（不図示）によって着脱可能に固定することができる。
【００１８】
（基端部）
図３は、本発明の第１実施形態に係るダーモスコピーカメラ１の基端部３０を示す斜視図である。図２及び図３に示すように、基端部３０は、ズームレンズ部１２の外周を囲む第１カバー部材３１と、第１カバー部材３１の遠位側の内周縁部に配置される光源３２と、を備える。第１カバー部材３１は、径寸法が均等な円筒状に形成される円筒部３１ａと、円筒部３１ａから遠位側に向かって拡がるようにテーパ状に形成された拡径テーパ部３１ｂと、を一体に有している。なお、光源３２は、基端部３０の第１カバー部材３１の遠位側の内周縁部のほかにも、例えば、ズームレンズ部１２の周辺のカメラ本体１０に配置されていてもよく、要するに、基端部３０とカメラ本体１０によって囲われる領域に内包されるように配置されていればよい。
【００１９】
光源３２は、ズームレンズ部１２の外周位置から遠位側に向けて光を出射するように、拡径テーパ部３１ｂの内周部に取り付けられる。本実施形態の光源３２は、複数のＬＥＤランプ３３からなり、拡径テーパ部３１ｂの内周部に周方向に所定の間隔を置いて配置されている。
【００２０】
このように構成された光源３２は、基端部３０の遠位側に先端部４０が取り付けられている状態では、先端部４０内を介して患者の疾患部を照らすダーモスコピー撮影用フラッシュ（又はマクロ撮影用フラッシュ）として機能する一方、基端部３０の遠位側に先端部４０が取り付けられていない状態では、ズームレンズ部１２の外周位置から遠位側に光を出射するリングフラッシュとして機能することが可能になる。
【００２１】
なお、本実施形態のＬＥＤランプ３３は、基板３３ａに３つのＬＥＤ素子３３ｂを実装して構成され、拡径テーパ部３１ｂの内周部に周方向に所定の間隔を置いて４つ配置されているが、ＬＥＤランプ３３やＬＥＤ素子３３ｂの数は適宜変更することができる。例えば、リング状の基板に多数のＬＥＤ素子を等間隔で実装したリング形状のＬＥＤランプとしてもよい。また、本実施形態のＬＥＤランプ３３は、カメラ本体１０に電気的に接続され、カメラ本体１０のバッテリー部を電源として点灯されるが、アタッチメント２０に専用のバッテリー部を設けてもよい。
【００２２】
基端部３０の遠位側端面と先端部４０の近位側端面との間には、先端部４０を容易な操作で着脱可能にする第１着脱部Ｊ１が構成されている。本実施形態の第１着脱部Ｊ１は、基端部３０の遠位側端面に突設される複数の係合凸部３１ｃ（係合部）と、基端部３０の遠位側端面に埋設される複数のマグネット部３４と、先端部４０の近位側端面に形成される複数の係合凹部４２ａ（被係合部）と、先端部４０の近位側端面に埋設される複数のマグネット部４４（図４参照）と、を備えて構成されている。
【００２３】
このように構成された第１着脱部Ｊ１によれば、係合凸部３１ｃと係合凹部４２ａとを係合させるだけで、基端部３０の遠位側端面と先端部４０の近位側端面とを位置決め状態で当接させつつ、マグネット部３４、４４同士の吸着力で基端部３０と先端部４０とを連結状態に保つことができる一方、マグネット部３４、４４同士の吸着力を超える操作力で先端部４０を基端部３０から引き離すだけで、先端部４０を基端部３０から取り外すことが可能になる。なお、マグネット部３４、４４は、両方が着磁された磁石の場合と、一方が着磁された磁石で、他方が磁石に吸着可能な磁性材の場合と、が含まれる。
【００２４】
（先端部）
本実施形態の先端部４０は、基端部３０の遠位側に着脱可能に取り付けられ、内部にコンバージョンレンズ４３が配置されたレンズ部４１と、レンズ部４１の遠位側に着脱可能に取り付けられ、患者の疾患部にその先端が接触する接触部４６と、を含んでいる。
【００２５】
（レンズ部）
レンズ部４１は、上述した第１着脱部Ｊ１を介して基端部３０の遠位側端面に着脱自在に取り付けられる第２カバー部材４２と、第２カバー部材４２の近位側内部空間に配置されるコンバージョンレンズ４３と、を備える。第２カバー部材４２は、遠位側に向かって細くなるようにテーパ角θ１をもって形成された縮径テーパ形状を有し、光源３２から出射された光を遠位側に向かって集光する機能を備える。なお、第２カバー部材４２は、光が透過せず、光源３２の光を効率良く集光可能であれば、任意の材料（例えば、不透明樹脂）で形成することができる。
【００２６】
コンバージョンレンズ４３は、カメラ本体１０のズームレンズ部１２と患者の疾患部との間に介在し、撮影画像の拡大倍率を増大させる。具体的には、ズームレンズ部１２の拡大倍率と合わせて、患者の疾患部を１０倍〜３０倍に拡大可能なレンズ部材４３ａが用いられる。レンズ部材４３ａは、レンズ支持部材４３ｂを介して第２カバー部材４２の内周部に取り付けられる。
【００２７】
図４は、本発明の第１実施形態に係るダーモスコピーカメラ１の基端部３０に先端部４０のレンズ部４１を装着した状態を仮想線で示す斜視図である。図４に示すように、本実施形態のコンバージョンレンズ４３は、１つのレンズ部材４３ａと、レンズ部材４３ａの外周部から放射方向に延在して第２カバー部材４２の内周部に固定される４つのレンズ支持部材４３ｂと、を備える。
【００２８】
光源３２を構成する４つのＬＥＤランプ３３の光は、レンズ部材４３ａの外周部と第２カバー部材４２の内周部との間の空間を通って患者の疾患部に向けて出射される。このとき４つのレンズ支持部材４３ｂは、４つのＬＥＤランプ３３と光軸方向に重ならないように配置される。これにより、レンズ支持部材４３ｂの影が撮影画像に映り込むことが回避される。
【００２９】
レンズ部４１の遠位側端面と接触部４６の近位側端面との間には、接触部４６を容易な操作で着脱可能にする第２着脱部Ｊ２が構成されている。本実施形態の第２着脱部Ｊ２は、レンズ部４１の遠位側端面に突設される複数の係合凸部４２ｂ（係合部）と、レンズ部４１の遠位側端面に埋設される複数のマグネット部４５と、接触部４６の近位側端面に形成される複数の係合凹部４７ａ（被係合部）と、接触部４６の近位側端面に埋設される複数のマグネット部４９と、を備えて構成されている。
【００３０】
このように構成された第２着脱部Ｊ２によれば、係合凸部４２ｂと係合凹部４７ａとを係合させるだけで、レンズ部４１の遠位側端面と接触部４６の近位側端面とを位置決め状態で当接させつつ、マグネット部４５、４９同士の吸着力でレンズ部４１と接触部４６とを連結状態に保つことができる一方、マグネット部４５、４９同士の吸着力を超える操作力で接触部４６をレンズ部４１から引き離すだけで、接触部４６をレンズ部４１から取り外すことが可能になる。なお、マグネット部４５、４９は、両方が着磁された磁石の場合と、一方が着磁された磁石で、他方が磁石に吸着可能な磁性材の場合と、が含まれる。
【００３１】
（接触部）
接触部４６は、上述した第２着脱部Ｊ２を介してレンズ部４１の遠位側端面に着脱自在に取り付けられる第３カバー部材４７と、第３カバー部材４７の遠位側の開口部４７ｂを覆うカバーガラス４８と、を備える。第３カバー部材４７は、遠位側に向かって細くなるようにテーパ角θ２をもって形成された縮径テーパ形状を有し、光源３２から出射された光を遠位側に向かって集光する機能を備える。
【００３２】
つまり、先端部４０においては、レンズ部４１の第２カバー部材４２及び接触部４６の第３カバー部材４７が、遠位側に向かって細くなるように、テーパ状にそれぞれ形成されているが、接触部４６の第３カバー部材４７がレンズ部４１の第２カバー部材４２よりも光軸に向かって急角度なテーパ状（θ２＞θ１）に形成されている。これにより、アタッチメント２０の光軸方向の長さを抑えつつ、光源３２からの光を第３カバー部材４７の遠位側の開口部４７ｂ内に集光することが可能になる。なお、第３カバー部材４７は、光が透過せず、光源３２の光を効率良く集光可能であれば、任意の材料（例えば、不透明樹脂）で形成することができる。
【００３３】
カバーガラス４８は、第３カバー部材４７の遠位側の開口部４７ｂを覆いつつ、光源３２からの光やその反射光を透過させる透明板部材からなり、ダーモスコピー撮影に際しては、偏光作用を有するジェル（図示せず）を介して患者の疾患部に接触される。疾患部との接触部位は、他の患者への細菌の感染を防止するために、ダーモスコピー撮影後に洗浄・除菌が行われる。このとき、本実施形態のアタッチメント２０では、先端部４０全体を基端部３０から取り外すことなく、基端部３０側に先端部４０のレンズ部４１を残しつつ、先端部４０の接触部４６だけを取り外すことができるので、ダーモスコピー撮影後の洗浄・除菌作業が容易になるだけでなく、予備の接触部４６を用意しておけば、接触部４６を交換して直ちに他の患者の撮影に移行することも可能になる。
【００３４】
（アタッチメントの使用例）
つぎに、ダーモスコピーカメラ１におけるアタッチメント２０の使用例について、図５〜図７を参照して説明する。
【００３５】
図５は、本発明の第１実施形態に係るダーモスコピーカメラ１のダーモスコピー撮影時の状態を示す斜視図である。この図に示すように、ダーモスコピー撮影時には、基端部３０の遠位側に先端部４０（レンズ部４１及び接触部４６）を取り付けるとともに、先端部４０の遠位側端面であるカバーガラス４８をジェルを介して患者の疾患部に接触させる。この状態で光源３２を点灯させると、光源３２から出射されるＬＥＤ光が、第２カバー部材４２及び第３カバー部材４７で集光された後、カバーガラス４８及びジェルを介して患者の疾患部に照射される。
【００３６】
疾患部に照射されたＬＥＤ光は、ジェルの偏光作用によって皮膚表面での乱反射を抑制されながら皮膚下に到達し、皮膚下の物質によって反射される。この反射光は、ジェル及びカバーガラス４８を介してアタッチメント２０内に取り込まれるとともに、コンバージョンレンズ４３及びズームレンズ部１２を介して１０倍〜３０倍に拡大され、カメラ本体１０の撮像素子上に結像される。任意のタイミングでカメラ本体１０のシャッタボタン１４を操作すると、撮像素子が読み取った撮影画像がカメラ本体１０の記憶部に記憶される。記憶部に記憶された撮影画像は、カメラ本体１０の通信部を介して無線又は有線でダーモスコピー診断を行うコンピュータに送信される。
【００３７】
図６は、本発明の第１実施形態に係るダーモスコピーカメラ１の接触部交換時又はマクロ撮影時の状態を示す斜視図である。この図に示すように、本実施形態のアタッチメント２０では、先端部４０のレンズ部４１を残しつつ、先端部４０の接触部４６だけを取り外すことができる。つまり、ダーモスコピー撮影後、疾患部との接触部位を除菌するにあたり、先端部４０全体を基端部３０から取り外すことなく、先端部４０の接触部４６だけを取り外すことができるので、ダーモスコピー撮影後の除菌作業が容易になるだけでなく、予備の接触部４６と交換して直ちに他の患者の撮影に移行することができる。
【００３８】
また、図６に示す状態では、光源３２の光で暗部を局所的に照射しながらコンバージョンレンズ４３及びズームレンズ部１２を介して１０倍〜３０倍に拡大撮影するマクロ撮影を行うことができる。例えば、暗部である口腔内の撮影に用いることができる。
【００３９】
図７は、本発明の第１実施形態に係るダーモスコピーカメラ１のリングフラッシュ撮影時の状態を示す斜視図である。この図に示すように、本実施形態のアタッチメント２０では、基端部３０をカメラ本体１０側に残しつつ、先端部４０全体を取り外すことができる。この状態では、基端部３０に設けられる光源３２が、ズームレンズ部１２の外周位置から遠位側に光を出射するリングフラッシュとして機能するので、ダーモスコピーカメラ１をリングフラッシュカメラ態様に切り替え、リングフラッシュ撮影を行うことができる。
【００４０】
（ダーモスコピー診断における撮影手順）
つぎに、本実施形態のダーモスコピーカメラ１を用いてダーモスコピー診断を行う際の撮影手順について説明する。
【００４１】
ダーモスコピー診断を行う皮膚科医は、まず、個人を特定するために患者のカルテを撮影する。カルテの撮影に際しては、図７に示すように、基端部３０をカメラ本体１０側に残しつつ、先端部４０全体を取り外したリングフラッシュカメラ態様のダーモスコピーカメラ１で撮影を行うことができる。
【００４２】
つぎに、皮膚科医は、疾患部の位置を特定するために、患者の疾患部及びその周辺をリングフラッシュ撮影する。この撮影は、カルテの撮影と同様、リングフラッシュカメラ態様のダーモスコピーカメラ１で撮影を行うため、カルテの撮影後、直ちに行うことができる。
【００４３】
つぎに、皮膚科医は、患者の疾患部をダーモスコピー撮影する。この撮影は、図５に示すように、基端部３０の遠位側に先端部４０を取り付けたダーモスコピーカメラ態様で行う。このような一連の撮影手順によれば、先端部４０を着脱するだけの簡単な操作でダーモスコピーカメラ１をリングフラッシュカメラ態様とダーモスコピーカメラ態様に切り替えながら行うことができるので、リングフラッシュとダーモスコピー用アタッチメントを用意し、両者を付け替えながらリングフラッシュ撮影とダーモスコピー撮影を行っていた従来に比べ、ダーモスコピー診断時の撮影を大幅に簡略化できる。
【００４４】
（実施形態の効果）
以上に述べた実施形態によれば、撮影画像から病変を診断するために用いられるダーモスコピーカメラ１であって、ダーモスコピーカメラ１は、カメラ本体１０と、カメラ本体１０に取り付けられるアタッチメント２０と、を備え、アタッチメント２０は、カメラ本体１０に取り付けられ、遠位側の周縁の少なくとも一部に光源３２が配置された基端部３０と、基端部３０の遠位側に着脱可能に取り付けられ、コンバージョンレンズ４３が配置された先端部４０と、を備えるので、基端部３０の遠位側に先端部４０が取り付けられた状態では、光源３２の光を先端部４０で集光して患者の疾患部を照射しつつ、コンバージョンレンズ４３を介して患者の疾患部を拡大撮影するダーモスコピーカメラとして使用できる一方、基端部３０から先端部４０を取り外した状態では、光源３２の光で前方を照射しつつ、コンバージョンレンズ４３を介さずに撮影するリングフラッシュカメラとして使用できる。
【００４５】
また、基端部３０は、遠位側端面に係合凸部３１ｃ及びマグネット部３４を有し、先端部４０は、近位側端面に係合凹部４２ａ及びマグネット部４４を有するので、ワンタッチ操作で先端部４０を着脱することができる。
【００４６】
また、先端部４０は、遠位側に向かって細くなるように、テーパ角θ１及びテーパ角θ２をもって段階的にテーパ状に形成されているので、アタッチメント２０の光軸方向の長さを抑えつつ、光源３２からの光を先端部４０の遠位側端面に形成される開口部４７ｂ内に集光することができる。
【００４７】
また、先端部４０は、基端部３０の遠位側に着脱可能に取り付けられ、コンバージョンレンズ４３が配置されたレンズ部４１と、レンズ部４１の遠位側に着脱可能に取り付けられ、患者の疾患部にその先端が接触する接触部４６と、を含むので、先端部４０全体を基端部３０から取り外すことなく、基端部３０側に先端部４０のレンズ部４１を残しつつ、先端部４０の接触部４６だけを取り外すことができる。その結果、ダーモスコピー撮影後の洗浄・除菌作業が容易になるだけでなく、予備の接触部４６を用意しておけば、接触部４６を交換して直ちに他の患者の撮影に移行することも可能になる。
【００４８】
また、接触部４６だけを取り外した状態では、光源３２の光で暗部を局所的に照射しながらコンバージョンレンズ４３及びズームレンズ部１２を介して１０倍〜３０倍に拡大撮影するマクロ撮影を行うことができる。
【００４９】
また、レンズ部４１は、遠位側端面に係合凸部４２ｂ及びマグネット部４５を有し、接触部４６は、近位側端面に係合凹部４７ａ及びマグネット部４９を有するので、ワンタッチ操作で接触部４６を着脱することができる。
【００５０】
また、レンズ部４１及び接触部４６は、遠位側に向かって細くなるように、テーパ状にそれぞれ形成されており、接触部４６がレンズ部４１よりも光軸に向かって急角度なテーパ状に形成されているので、遠位側に向かって細くなるように、テーパ角θ１及びテーパ角θ２をもって段階的にテーパ状に形成された先端部４０を容易に構成できる。
【００５１】
また、光源３２には、ＬＥＤランプ３３が用いられるので、光源３２をコンパクトに構成しつつ、ダーモスコピー撮影及びリングフラッシュ撮影の光源に兼用できる。
【００５２】
（第２実施形態）
つぎに、本発明の第２実施形態に係るダーモスコピーカメラ１Ｂについて、図８を参照して説明する。ただし、上述した実施形態と共通の構成については、上述した実施形態と同じ符号を用いることにより、上述した実施形態の説明を援用する。
【００５３】
図８は、本発明の第２実施形態に係るダーモスコピーカメラ１Ｂを示す図であり、（ａ）はダーモスコピーカメラ１Ｂの平面図、（ｂ）はダーモスコピーカメラ１Ｂの正面図、（ｃ）はダーモスコピーカメラ１Ｂの底面図、（ｄ）はダーモスコピーカメラ１Ｂの側面図である。この図に示すように、第２実施形態のダーモスコピーカメラ１Ｂに取り付けられるアタッチメント２０Ｂは、基端部３０の外周部からカメラ本体１０の前面に沿って一側方に延在する延在部５０を備える。延在部５０は、前方に膨出したバッテリー部５１を有し、このバッテリー部５１に内装されるバッテリー（図示せず）を電源として光源３２が点灯される。
【００５４】
このような第２実施形態のダーモスコピーカメラ１Ｂによれば、アタッチメント２０Ｂの光源３２をカメラ本体１０のバッテリー部に電気的に接続する必要がないので、配線の簡略化が図れる。また、バッテリー部５１は、カメラ本体１０の一端部で前方に膨出することにより、カメラ本体１０及びアタッチメント２０Ｂを同時に把持可能なグリップ部としても機能させることができる。
【００５５】
なお、本発明の技術的範囲には、本発明の目的が達成される範囲での様々な変形や改良などが含まれるものである。
【００５６】
例えば、上述の実施形態では、アタッチメントが基端部とレンズ部と接触部とに３分割されているが、レンズ部と接触部とを一体化し、基端部と先端部との２分割としてもよい。
また、上述の実施形態では、第１着脱部及び第２着脱部が係合部（被係合部）とマグネット部によって構成されているが、マグネット部に代えて面ファスナを使用したり、係合部（被係合部）及びマグネット部に代えてねじ式の着脱構造を採用したりしてもよい。
【００５７】
以下に、この出願の願書に最初に添付した特許請求の範囲に記載した発明を付記する。付記に記載した請求項の項番は、この出願の願書に最初に添付した特許請求の範囲の通りである。
［請求項１］
撮影画像から病変を診断するために用いられるカメラのアタッチメントであって、
光源と、
前記光源を内包するように前記カメラに取り付けられる基端部と、
前記基端部の遠位側に着脱可能に取り付けられ、コンバージョンレンズが配置された先端部と、を備えることを特徴とするアタッチメント。
［請求項２］
前記光源が前記基端部の遠位側の周縁の少なくとも一部に配置されていることを特徴とする請求項１に記載のアタッチメント。
［請求項３］
前記基端部が遠位側端面に係合部及びマグネット部を有し、前記先端部が近位側端面に被係合部及びマグネット部を有することを特徴とする請求項１又は２に記載のアタッチメント。
［請求項４］
前記先端部が、遠位側に向かって細くなるように、段階的にテーパ状に形成されていることを特徴とする請求項１から３のいずれか１項に記載のアタッチメント。
［請求項５］
前記先端部が、
前記基端部の遠位側に着脱可能に取り付けられ、前記コンバージョンレンズが配置されたレンズ部と、
前記レンズ部の遠位側に着脱可能に取り付けられ、患者の疾患部にその先端が接触する接触部と、を含むことを特徴とする請求項１又は２に記載のアタッチメント。
［請求項６］
前記レンズ部が遠位側端面に係合部及びマグネット部を有し、前記接触部が近位側端面に被係合部及びマグネット部を有することを特徴とする請求項５に記載のアタッチメント。
［請求項７］
前記レンズ部及び前記接触部が、遠位側に向かって細くなるように、テーパ状にそれぞれ形成されており、前記接触部が前記レンズ部よりも光軸に向かって急角度なテーパ状に形成されていることを特徴とする請求項５又は６に記載のアタッチメント。
［請求項８］
前記光源がＬＥＤランプであることを特徴とする請求項１から７のいずれか１項に記載のアタッチメント。
［請求項９］
さらに、前記基端部の周面の一部に設けられ、前記光源を点灯するバッテリー部を備えることを特徴とする請求項１から８のいずれか１項に記載のアタッチメント。
［請求項１０］
撮影画像から皮膚病変を診断するために用いられるダーモスコピーカメラであって、
カメラ本体と、
前記カメラ本体に着脱可能に取り付けられる、請求項１から９のいずれか１項に記載のアタッチメントと、を備えることを特徴とするダーモスコピーカメラ。
【符号の説明】
【００５８】
１、１Ｂ  ダーモスコピーカメラ
１０  カメラ本体
２０、２０Ｂ  アタッチメント
３０  基端部
３１ｃ  係合凸部
３２  光源
３４  マグネット部
４０  先端部
４１  レンズ部
４２ａ  係合凹部
４２ｂ  係合凸部
４３  コンバージョンレンズ
４４  マグネット部
４５  マグネット部
４６  接触部
４７ａ  係合凹部
４８  カバーガラス
４９  マグネット部
５１  バッテリー部
【図１】
2018005155.tif 000003
【図２】
2018005155.tif 000004
【図３】
2018005155.tif 000005
【図４】
2018005155.tif 000006
【図５】
2018005155.tif 000007
【図６】
2018005155.tif 000008
【図７】
2018005155.tif 000009
【図８】
2018005155.tif 000010